(57)【要約】  本発明は、ヒトの卵子を採取するための針アセンブリ１０であって、近位端１２及び遠位端１１を有する外側スリーブ２０と、中空外側スリーブ２０内に摺動可能に配置された中空内側針３０とを備える、針アセンブリ１０に関する。中空内側針３０は、曲線３５を画定するように構成された遠位領域３３と、先鋭化されたベベル３４を有する遠位端３２と、遠位領域３３が外側スリーブ２０内に配置された後退位置と、中空内側針３０の遠位端３２が外側スリーブ２０の遠位端１１より遠位にあり、遠位領域３３が外側スリーブ２０より少なくとも部分的に外側にある延長位置とを有する。針アセンブリ１０は、中空内側針３０を後退位置と延長位置との間で移動させるように構成されたコントローラ４０をさらに備える。中空内側針３０が後退位置にあるときに遠位領域３３は外側スリーブ２０に適合し、中空内側針３０が延長位置にあるときに遠位領域３３は曲線３５を画定する。【選択図】図１４
2021526065.tif 000002
【特許請求の範囲】
【請求項１】
ヒトの卵子を採取するための針アセンブリであって、前記針アセンブリが、
近位端及び遠位端を有する外側スリーブと、
中空の外側スリーブ内に摺動可能に配置された中空内側針であって、前記中空内側針が、
曲線を画定するように構成された遠位領域と、
先鋭化されたベベルを有する遠位端と、
前記遠位領域が前記外側スリーブ内に配置される、後退位置と、
前記中空内側針の前記遠位端が前記外側スリーブの前記遠位端より遠位にあり、かつ、前記遠位領域が前記外側スリーブより少なくとも部分的に外側にある、延長位置とを有する、中空内側針と、
前記中空内側針を前記後退位置と前記延長位置との間で移動させるように構成されたコントローラとを備え、
前記中空内側針が前記後退位置にあるときに前記遠位領域は前記外側スリーブに適合し、前記中空内側針が前記延長位置にあるとき前記遠位領域は前記曲線を画定する、針アセンブリ。
【請求項２】
前記外側スリーブの前記遠位端は、先鋭化されたベベルを有する、請求項１に記載の針アセンブリ。
【請求項３】
前記中空内側針が前記後退位置にあるとき、前記外側スリーブの先鋭化されたベベルと前記中空内側針の先鋭化されたベベルは実質的に位置合わせされて斜面を形成する、請求項２に記載の針アセンブリ。
【請求項４】
前記中空内側針が前記後退位置にあるとき、前記中空内側針の前記遠位端は、前記外側スリーブの前記遠位端から突出する、請求項１に記載の針アセンブリ。
【請求項５】
前記遠位領域によって画定される前記曲線は、一方向曲線である、請求項１〜４のいずれか一項に記載の針アセンブリ。
【請求項６】
前記遠位領域は、前記外側スリーブに対して最大角度９０度で延びるように構成される、請求項１〜５のいずれか一項に記載の針アセンブリ。
【請求項７】
前記中空内側針は、前記中空内側針を前記外側スリーブに対して遠位側に前進させることによって、前記後退位置から前記延長位置に移動させられ、前記中空内側針は、前記中空内側針を前記外側スリーブに対して近位側に後退させることによって、前記延長位置から前記後退位置に移動させられる、請求項１〜６のいずれか一項記載の針アセンブリ。
【請求項８】
前記曲線は、前記中空内側針が前記外側スリーブに対して遠位側に４ｃｍ進められたときに２．５ｃｍの半径を有する、請求項７に記載の針アセンブリ。
【請求項９】
前記遠位領域は、弾性合金から形成される、請求項１〜８のいずれか一項に記載の針アセンブリ。
【請求項１０】
前記中空内側針は、弾性合金から形成される、請求項１〜９のいずれか一項に記載の針アセンブリ。
【請求項１１】
前記弾性合金がニチノールである、請求項９又は１０に記載の針アセンブリ。
【請求項１２】
前記外側スリーブは、針である、請求項１〜１１のいずれか一項に記載の針アセンブリ。
【請求項１３】
前記外側スリーブは、１６ゲージ針又は１７ゲージ針である、請求項１〜１１のいずれか一項に記載の針アセンブリ。
【請求項１４】
前記中空内側針は、１９ゲージの針である、請求項１〜１３のいずれか一項に記載の針アセンブリ。
【請求項１５】
前記外側スリーブの前記遠位端に近接する又は前記遠位端にある領域は、放射線不透過であり、及び／又は、前記中空内側針の前記遠位端に近接する又は前記遠位端にある領域は、放射線不透過である、請求項１〜１４のいずれか一項記載の針アセンブリ。
【請求項１６】
前記中空内側針が、前記中空内側針が前記後退位置及び前記延長位置のいずれかにあるときに、前記外側スリーブ内で回転することが制限される、請求項１〜１５のいずれか一項に記載の針アセンブリ。
【請求項１７】
前記コントローラは、前記中空内側針を前記後退位置及び延長位置のいずれかに解放可能に保持するように構成される、請求項１〜１６のいずれか一項に記載の針アセンブリ。
【請求項１８】
前記コントローラが、
前記中空の外側スリーブに連結された第１の部品と、前記中空内側針に連結された第２の部品とを備え、前記第２の部品を前記第１の部品に対して移動させることによって、前記中空内側針を前記後退位置と延長位置との間で移動させる、請求項１〜１７のいずれか一項に記載の針アセンブリ。
【請求項１９】
前記第１の部品は第１のスロット及び第２のスロットを有し、前記第２の部品は、前記第１のスロット及び前記第２のスロットのいずれかに受け入れられるように構成されたフランジを有し、前記フランジを前記第１のスロット内に配置することで前記中空内側針を前記後退位置に保持し、前記フランジを前記第２のスロット内に配置することで前記中空内側針を延長位置に保持する、請求項１８に記載の針アセンブリ。
【請求項２０】
前記フランジ及び前記曲線は共通の方向に延在する、請求項１９に記載の針アセンブリ。
【請求項２１】
前記中空内側針は、真空源と流体連通して連結されるように構成されており、前記真空源は、ヒトの卵子を採取するために前記中空内側針に陰圧を生成するように構成される、請求項１〜２０のいずれか一項に記載の針アセンブリ。
【請求項２２】
前記中空内側針は、前記中空内側針を通して抽出されたヒトの卵子を収集するための容器と流体連通状態にある、請求項１〜２１のいずれか一項に記載の針アセンブリ。
【請求項２３】
前記針アセンブリは、前記中空内側針、前記容器、及び、前記真空源と流体連通する栓をさらに備え、
前記栓は、
前記中空内側針がヒトの卵子を採取及び収集するために前記容器及び前記真空源と流体連通している第１の構成と、前記中空内側針が前記中空内側針を洗浄するための洗浄流体と流体連通している第２の構成との間で移動可能である、請求項２２に記載の針アセンブリ。
【請求項２４】
ヒトの卵子を採取するための方法において、前記方法は、
前記中空内側針が前記後退位置にある状態で、請求項１〜１７のいずれか一項に記載の針アセンブリの前記外側スリーブの前記遠位端を、被験者の膣壁を通して卵巣に挿入するステップと、
卵子の近くに前記外側スリーブの前記遠位端を位置決めするステップと、
前記中空内側針を通して前記卵子を採取するステップとを備える、ヒトの卵子を採取するための方法。
【請求項２５】
前記方法は、
前記中空内側針を前記延長位置に移動させるステップと、
前記中空内側針の前記遠位端を卵子の近くに位置決めして前記卵子を採取するステップとをさらに備える、請求項２４に記載の方法。
【請求項２６】
前記方法は、
前記中空内側針を前記後退位置へ移動させるステップと、
前記針アセンブリを回転させて卵巣内で前記外側スリーブを再度位置決めするステップと、
前記中空内側針を前記延長位置に移動させるステップと、
前記中空内側針の前記遠位端を卵子の近くに位置決めして卵子を採取するステップとをさらに備える、請求項２５に記載の方法。
【発明の詳細な説明】
【技術分野】
【０００１】
関連出願
この出願は、２０１８年５月２９日に出願された米国仮特許出願第６２／６７７，２９３号についての優先権を主張するものであり、その全体が参照により本明細書に組み込まれている。
【０００２】
本技術は、対外受精（ＩＶＦ）及び生殖補助医療（ＡＲＴ）に関連して、卵子の採取又は抽出に使用するための針及び針アセンブリに関する。
【背景技術】
【０００３】
体外受精には、雌の卵母細胞（減数分裂して卵子を形成する可能性のある卵巣内の細胞）の受精、又は、体外（すなわち、子宮の外側）での卵子の受精が含まれる。
【０００４】
基本的な体外受精用の針は、ほとんど改良されず、長年にわたって同じままであった。典型的には、１９又は２０ゲージの遠位端を有する３３０ｍｍで１６又は１７ゲージの幹を有する針が普遍的に使用されている。
【０００５】
他の分野では、試料の取り出し及び／又は薬剤の適用のために針を利用する針アセンブリがあるが、これらの針アセンブリは、通常、卵子の採取には適していない。
【０００６】
体外受精用の針は、針の方向を維持するために、針ガイドを有する膣用プローブに沿って膣に導入される。近位端では、ヒトの卵子を吸引して試験管に収集するために、針は可撓性の管に接続される。
【０００７】
現在の卵子の取り出し処置では、複数の卵子を取り出すために膣壁を通して複数回挿入する必要があり、これは、痛みを伴うことがあり、また、出血につながる可能性もある。
【０００８】
理想的には、外来診療の場で使用できる針アセンブリを有することで、患者のコストが下げられるであろう。より安全で苦痛の少ない採卵によって、病院ではなく臨床状況で採卵を可能にすることで体外受精のコストを削減し、体外受精の周期を大幅に増し、出生率を高める可能性がある。
【０００９】
特許文献１（米国６５９２５５９号明細書）は、ニチノールなどの超弾性材料で作られた針カニューレを備える針アセンブリを開示している。針カニューレは、患者の体内への導入のために同軸の外側カニューレの通路内で直線状にすることができる予備成形曲げを生成するために、冷間加工又は焼鈍熱処理される。外側カニューレから展開すると、針カニューレは、針アセンブリの進入経路の横方向の領域における材料の導入又は抽出のために、予備成形された構成に実質的に戻る。針アセンブリは、所望の注入パターンを達成するために可変的に配置又は構成することができるよりも、複数の針カニューレを備えることができる。
【００１０】
しかしながら、この針アセンブリは、いくつかの理由から、卵子の採取において使用するのに特に適していないであろう。外側カニューレは、傾斜した先端を有しないので、体内への挿入のために導入トロカールと共に作動することが必要である。導入トロカールは、その後に取り外され、注入針が所定の位置に挿入される。
【先行技術文献】
【特許文献】
【００１１】
【特許文献１】米国６５９２５５９号号明細書
【発明の概要】
【００１２】
本願の発明者は、ヒトの卵子を採取するための改良した針アセンブリを開発した。
【００１３】
本発明は、第１の態様では、ヒトの卵子を採取するための針アセンブリであって、前記針アセンブリが、
近位端及び遠位端を有する外側スリーブと、
中空の外側スリーブ内に摺動可能に配置された中空内側針であって、前記中空内側針が、
曲線を画定するように構成された遠位領域と、
先鋭化されたベベルを有する遠位端と、
前記遠位領域が前記外側スリーブ内に配置される、後退位置と、
前記中空内側針の前記遠位端が前記外側スリーブの前記遠位端より遠位にあり、かつ、前記遠位領域が前記外側スリーブより少なくとも部分的に外側にある、延長位置とを有する、中空内側針と、
前記中空内側針を前記後退位置と前記延長位置との間で移動させるように構成されたコントローラとを備え、
前記中空内側針が前記後退位置にあるときに前記遠位領域は前記外側スリーブに適合し、前記中空内側針が前記延長位置にあるとき前記遠位領域は前記曲線を画定する、針アセンブリを提供する。
【００１４】
一実施形態によると、前記外側スリーブの前記遠位端は、先鋭化されたベベルを有する。
【００１５】
一実施形態によると、前記中空内側針が前記後退位置にあるとき、前記外側スリーブの先鋭化されたベベルと前記中空内側針の先鋭化されたベベルは実質的に位置合わせされて斜面を形成する。
【００１６】
一実施形態によると、前記中空内側針が前記後退位置にあるとき、前記中空内側針の前記遠位端は、前記外側スリーブの前記遠位端から突出する。
【００１７】
一実施形態によると、前記遠位領域によって画定される前記曲線は、一方向曲線である。
【００１８】
一実施形態によると、前記遠位領域は、前記外側スリーブに対して最大角度９０度で延びるように構成される。
【００１９】
一実施形態では、前記中空内側針は、前記中空内側針を前記外側スリーブに対して遠位側に前進させることによって、前記後退位置から前記延長位置に移動させられ、前記中空内側針は、前記中空内側針を前記外側スリーブに対して近位側に後退させることによって、前記延長位置から前記後退位置に移動させられる。
【００２０】
一実施形態によると、前記曲線は、前記中空内側針が前記外側スリーブに対して遠位側に４ｃｍ進められたときに２．５ｃｍの半径を有する。
【００２１】
一実施形態によると、前記遠位領域は、弾性合金から形成される。
【００２２】
一実施形態によると、前記中空内側針は、弾性合金から形成される。
【００２３】
一実施形態によると、前記弾性合金がニチノールである。
【００２４】
一実施形態によると、中空内側針の遠位領域は、熱可塑性ポリマーから形成される。
【００２５】
一実施形態によると、中空内側針の遠位領域は、螺旋ばねから形成される。
【００２６】
一実施形態によると、螺旋ばねは、エラストマー材料で覆われている。
【００２７】
一実施形態によると、中空内側針の遠位領域は、エラストマーから形成される。
【００２８】
一実施形態によると、エラストマーはポリエチレン又はナイロンである。
【００２９】
一実施形態によると、中空内側針の遠位領域は、インテリジェントポリマーから形成される。
【００３０】
一実施形態によると、外側スリーブは針である。
【００３１】
一実施形態によると、外側スリーブは、１６ゲージ針又は１７ゲージ針である。
【００３２】
一実施形態によると、中空内側針は、１９ゲージの針である。
【００３３】
一実施形態によると、中空内側針の長さは約３５０ｍｍである。
【００３４】
一実施形態によると、中空内側針の遠位領域は、卵胞を穿刺して複数の卵子を引き出すために必要な偏向力に耐えることができる。
【００３５】
一実施形態によると、偏向力は約２０，０００ｍＮである。
【００３６】
一実施形態によると、中空内側針及び外側スリーブは非コアリングである。
【００３７】
一実施形態によると、中空内側針の遠位端及び／又は外側スリーブの遠位端は、三面体である。
【００３８】
一実施形態によると、外側スリーブの遠位端に近位にある又は遠位端にある領域は、放射線不透過性である。
【００３９】
一実施形態によると、中空内側針の遠位端に近位にある又は遠位端にある領域は、放射線不透過性である。
【００４０】
一実施形態によると、外側スリーブの遠位端に近位にある又は遠位端にある領域は放射線不透過性であり、中空内側針の遠位端に近位にある又は遠位端にある領域は放射線不透過性である。
【００４１】
一実施形態によると、放射線不透過領域の長さは約１０ｍｍである。
【００４２】
中空内側針及び／又は外側スリーブの遠位端の放射線不透過領域は、被験者の内の針アセンブリの位置に対する超音波又はＸ線による識別を可能にする。
【００４３】
一実施形態によると、中空内側針が延長位置にあるときに、中空内側針は外側スリーブ内で回転することが制限される。
【００４４】
一実施形態によると、中空内側針が後退位置又は延長位置にあるとき、中空内側針は外側スリーブ内で回転することが制限される。
【００４５】
一実施形態によると、コントローラは、中空内側針を後退位置及び延長位置のいずれかで解放可能に保持するように構成される。
【００４６】
一実施形態によると、コントローラは、外側スリーブに連結された第１の部品と、中空内側針に連結された第２の部品とを備え、第２の部品を第１の部品に対して移動させることによって、中空内側針を後退位置と延長位置との間で移動させる。
【００４７】
一実施形態では、前記第１の部品は第１のスロット及び第２のスロットを有し、前記第２の部品は、前記第１のスロット及び前記第２のスロットのいずれかに受け入れられるように構成されたフランジを有し、前記フランジを前記第１のスロット内に配置することで前記中空内側針を前記後退位置に保持し、前記フランジを前記第２のスロット内に配置することで前記中空内側針を延長位置に保持する。
【００４８】
一実施形態によると、フランジ及び曲線は、共通の方向に延びている。
【００４９】
一実施形態によると、管は中空内側針に接続される。
【００５０】
一実施形態によると、中空内側針の近位端は管に接続される。
【００５１】
一実施形態によると、前記中空内部針は、真空源と流体連通して連結されるように構成されており、前記真空源は、ヒトの卵子を採取するために前記中空内部針に陰圧を生成するように構成される。
【００５２】
一実施形態によると、前記中空内側針は、前記中空内側針を通して抽出されたヒトの卵子を収集するための容器と流体連通状態にある。
【００５３】
一実施形態によると、前記針アセンブリは、前記中空内側針、前記容器、及び、前記真空源と流体連通する栓をさらに備え、前記栓は、前記中空内側針がヒトの卵子を採取及び収集するために前記容器及び前記真空源と流体連通している第１の構成と、前記中空内側針が前記中空内側針を洗浄するための洗浄流体と流体連通している第２の構成との間で移動可能である。
【００５４】
また、卵子採取システムにおいて、該システムは、
本発明の第１の態様による針アセンブリと、
中空内側針と流体連通する管と、
管と流体連通する陰圧ポンプであって、針アセンブリを通して卵子を取り出すための陰圧ポンプと、
採取された卵子を受け入れるために管と流体連通する容器とを備える、システムが開示されている。
【００５５】
本発明は、第２の態様では、ヒトの卵子を採取するための方法において、この方法は、
前記中空内側針が前記後退位置にある状態で、本発明の第１の態様による針アセンブリの前記外側スリーブの前記遠位端を、被験者の膣壁を通して卵巣に挿入するステップと、
卵胞の近くに前記外側スリーブの前記遠位端を位置決めするステップと、
前記中空内側針を通して前記卵胞から卵子を採取するステップとを備える、ヒトの卵子を採取するための方法を提供する。
【００５６】
一実施形態によると、本方法は、
前記中空内側針を前記延長位置に移動させるステップと、
前記中空内側針の前記遠位端を卵胞の近くに位置決めして卵子を採取するステップとをさらに備える。
【００５７】
一実施形態によると、本方法は、
前記中空内側針を前記後退位置へ移動させるステップと、
前記針アセンブリを回転させて卵巣内で前記外側スリーブを再度位置決めするステップと、
前記中空内側針を前記延長位置に移動させるステップと、
前記中空内側針の前記遠位端を卵胞の近くに位置決めして卵子を採取するステップとをさらに備える。
【００５８】
ヒトの卵子を採取する方法において、この方法は、
本発明の第１の態様による針アセンブリの外側スリーブの遠位端を、膣壁を通して卵巣に導入するステップと、
中空内側針を延長位置に移動させるステップと、
中空内側針を通して１つ以上の卵子を採取するステップとを備える。
【００５９】
一実施形態によると、針アセンブリの外側スリーブの遠位端の単一の入口から複数の卵子が採取される。
【００６０】
本明細書を通じて、文脈が別の必要がない限り、「備える（comprises）」との語、又は「備える("comprises" or "comprising")」などの変形語は、記載された要素、整数又はステップ、又は、複数の要素、整数又はステップの群を含むことを意味すると理解されるが、任意の他の要素、整数又はステップ、又は、複数の要素、整数又はステップの群の排除を意味するものではない。
【００６１】
本明細書に含まれている、文献、行為、材料、装置、物品などのいかなる説明も、本発明のための文脈を提供することを目的とするものである。本明細書の各請求項の優先日よりも前に存在していたように、これらの事項のいずれか又は全てが従来技術ベースの一部を形成していること、又は、本発明に関連する分野における技術常識であったことを認めるものではない。
【００６２】
以下、本発明の好ましい実施形態を、添付の図面を参照して単に例として説明する。
【図面の簡単な説明】
【００６３】
【図１】図１は本発明の一実施形態による針アセンブリの側面図である。
【図２】図２は、図１の針アセンブリの上面図である。
【図３】図３は、図１の針アセンブリの遠位端の斜視図である。
【図４】図４は図１の針アセンブリの斜視図である。
【図５】図５は図１の針アセンブリの断面側面図である。
【図６】図６は図１の針アセンブリの遠位端の断面側面図である。
【図７】図７は、中空内側針をわずかに延長させた、図１の針アセンブリの遠位端の断面側面図である。
【図８】図８は、中空内側針をわずかに延長させた、図１の針アセンブリの斜視図である。
【図９】図９は、中空内側針をわずかに延長させた、図１の針アセンブリの斜視図である。
【図１０】図１０は、中空内側針をわずかに延長させた、図１の針アセンブリの断面側面図である。
【図１１】図１１は、中空内側針をわずかに延長させた、図１の針アセンブリの側面図である。
【図１２】図１２は、図１の針アセンブリの中空内側針を、外側スリーブに対して完全に延長位置（図１４）まで延長する逐次的なステップの一つを示す。
【図１３】図１３は、図１の針アセンブリの中空内側針を、外側スリーブに対して完全に延長位置（図１４）まで延長する逐次的なステップの一つを示す。
【図１４】図１４は、図１の針アセンブリの中空内側針を、外側スリーブに対して完全に延長位置（図１４）まで延長する逐次的なステップの一つを示す。
【図１５】図１５は、中空内側針を完全に延長させた、中空内側針の遠位領域によって画定される曲線の一方向性を図示する、図１の針アセンブリの上面図である。
【図１６】図１６は中空内側針を完全に延長させた、図１の針アセンブリの斜視図である。
【図１７】図１７は、中空内側針を完全に延長させた、図１の針アセンブリの遠位端の断面側面図である。
【図１８】図１８は、中空内側針を完全に延長させた、図１の針アセンブリを示している。
【図１９】図１９は、別の実施形態による、図１の針アセンブリの中空内側針の遠位領域の斜視図である。
【図２０】図２０は、図１の針アセンブリと共に使用するためのコントローラの斜視図である。
【図２１】図２１は、図１の針アセンブリの中空内側針を後退位置に保持する図２０のコントローラを示す。
【図２２】図２２は、図１の針アセンブリの中空内側針を延長位置に保持する図２０のコントローラを示す。
【図２３】図２３は、図２０のコントローラの第１の部品及び第２の部品を示す。
【図２４】図２４は、図１の針アセンブリと共に使用するための別のコントローラを示す。
【図２５】図２５は、図１の針アセンブリと共に使用するための別のコントローラを示す。
【図２６】図２６は、本発明の一実施形態による卵子採取システムの斜視図である。
【発明を実施するための形態】
【００６４】
図は、本発明の一実施形態によるヒトの卵子を採取するための針アセンブリ１０を示す。針アセンブリ１０は、遠位端１１及び近位端１２を有する。針アセンブリ１０の遠位端１１は、斜面１３を有する。
【００６５】
針アセンブリ１０は、針の形態の外側スリーブ２０と、外側スリーブ２０内に摺動可能に位置決めされた中空内側針３０とを備える。外側スリーブ２０は、近位端２１及び遠位端２２を有する。遠位端２２は、先鋭化されたベベル２３を有する。
【００６６】
中空内側針３０は、近位端３１と、遠位端３２と、遠位領域３３とを有する。中空内側針３０の遠位端３２は、先鋭化されたベベル３４を有する。中空内側針３０は、後退位置（例えば、図１を参照）及び延長位置（例えば、図１４を参照）を有する。後退位置において、中空内側針３０の遠位領域３３は、外側スリーブ２０内に配置される。延長位置では、中空内側針３０の遠位端３２は、外側スリーブ２０の遠位端２２よりも遠位にあり、中空内側針３０の遠位領域３３は、外側スリーブ２０よりも外側にある。中空内側針３０は、後退位置と延長位置との間の任意の位置で延長されうることが理解されよう。中空内側針３０が後退位置と延長位置との間の位置に延長させられる状況では、中空内側針３０の遠位端３２は、外側スリーブ２０の遠位端２２より遠位にあり、中空内側針３０の遠位領域３３は、少なくとも部分的に外側スリーブ２０より外側にある。図６に最もよく示されているように、中空内側針３０が後退位置にあるとき、中空内側針３０の遠位領域３３は、外側スリーブ２０の形状に適合する。中空内側針３０が後退位置にあるとき、中空内側針３０の遠位領域３３は、外側スリーブ２０内で実質的に直線状であることが理解されよう。
【００６７】
図１４を参照すると、中空内側針３０が延長位置にあるとき、中空内側針３０の遠位領域３３は、曲線３５を画定する。図１５に最もよく示されるように、曲線３５は、一方向曲線である（すなわち、曲線３５は、固定平面内に延在する）。図１１〜図１４は、中空内側針３０の後退位置から延長位置への累進的な延長を示す。これらの図から、中空内側針３０を外側スリーブ２０に対して遠位側に前進させることによって、中空内側針３０は後退位置から延長位置に移動させられることが分かる。したがって、中空内側針３０を外側スリーブ２０に対して近位側に後退させることによって、中空内側針３０は延長位置から後退位置に移動させられることが理解されよう。
【００６８】
図２０〜図２３を参照すると、針アセンブリ１０は、中空内側針３０を後退位置と延長位置との間で移動させるためのコントローラ４０をさらに備える。
【００６９】
卵子回収処置の間、針アセンブリ１０の遠位端１１を被験者の骨盤腔の中に挿入し、次いで、腹腔鏡又は超音波又はＸ線のガイドのいずれかを用いて卵胞に向けられる。針アセンブリ１０は、視覚化のために腹腔鏡を用いて経腹壁的に、又は、超音波又はＸ線のガイドの下で経膣的に挿入することができる。一旦、針アセンブリ１０の遠位端１１が卵胞の領域に位置すると判断されると、針アセンブリ１０の遠位端１１は穏やかに卵胞の中に挿入される。針アセンブリ１０の遠位端１１が卵胞に入った直後に、陰圧（すなわち、真空源）が針アセンブリ１０に印加されて、卵母細胞及び任意の卵胞液を吸引する。
【００７０】
外側スリーブ
外側スリーブ２０は、１６ゲージ針又は１７ゲージ針とし、外側スリーブ２０の遠位端２２は１７ゲージとしうる。針ゲージを記述する場合、ゲージの数字が大きいほど針の直径は小さくなる。
【００７１】
外側スリーブ２０は、ステンレス鋼、炭素繊維、硬質プラスチック、セラミック、及び、ガラスから選択される１つ以上の材料から形成することができる。特に好ましい材料として、ＡＩＳＩ３０４、ＡＩＳＩ３１６、ＳＩＳ２３４６、及び、ＳＩＳ２５４３から選択されるステンレス鋼が挙げられる。最も好ましい材料は、ＡＩＳＩ３０４ステンレス鋼である。
【００７２】
外側スリーブ２０の遠位端２２は、被験者の骨盤腔を穿刺するように構成されている。外側スリーブ２０の先鋭化されたベベル２３及び中空内側針３０の先鋭化されたベベル３４は、三面及び非コアリングとしうる。外側スリーブ２０の遠位端２２は、超音波又はＸ線による識別を可能にする、放射線不透過性としうる。例えば、外側スリーブ２０の遠位端２２の外面には、１つ以上の溝を設けうる。これは、腹腔鏡手術中、及び／又は、超音波を用いて針アセンブリ１０の挿入をガイドする場合に特に有用である。外側スリーブ２０の放射線不透過性の遠位端２２は、長さが約１０ｍｍであり、外側針２０と一体としうる。
【００７３】
外側スリーブ２０に使用され得る可能性のある針の設計は、次のような寸法を有し得る。
【表１】
2021526065.tif 000003
【００７４】
一般に、特定の用途に応じて、外側スリーブ２０は、中空内側針３０よりもおよそ４０ｍｍ短くして、外側スリーブ２０に対する中空内側針３０の適用された移動を可能にすることができる。中空内側針３０の遠位領域３３は、中空内側針３０と外側スリーブ２０との間のおよそ４０ｍｍの長さの差を構成する。
【００７５】
外側スリーブ２０の内径は、外側スリーブ２０内の中空内側針３０の相対的な移動を可能にするように構成される。
【００７６】
最も多くの１６ゲージ又は１７ゲージの針は、例えば、Ｃｏｏｋ Ｍｅｄｉｃａｌ社（米国インディアナ州ブルーミントン市）と、Ｓｍｉｔｈｓ  Ｍｅｄｉｃａｌ  Ｉｎｔｅｒｎａｔｉｏｎａｌ社（英国ウォトフォード）と、Ｇｙｎｅｔｉｃｓ Ｍｅｄｉｃａｌ Ｐｒｏｄｕｃｔｓ社（ベルギーのアケローオス）から入手できる。１８ゲージ（外径１．２７ｍｍ）の針は、Ｓｍｉｔｈｓ Ｍｅｄｉｃａｌ Ｉｎｔｅｒｎａｔｉｏｎａｌ社から入手できる。
【００７７】
代替の実施形態では、外側スリーブ２０は、先鋭化されたベベル２３を有しない。この例では、中空内側針３０が後退位置にあるときに、中空内側針３０の遠位端３２は、外側スリーブ２０の遠位端２２から突出している。この構成では、針アセンブリ１０は、被験者の骨盤腔及卵胞を穿孔するために、中空内側針３０の先鋭化されたベベル３４に依存する。
【００７８】
中空内側針
中空内側針３０は、外側スリーブ２０内で摺動可能に位置決めされ、外側スリーブ２０に対して移動可能に構成される。図６を参照すると、中空内側針３０が後退位置にあるとき、中空内側針３０の先鋭化されたベベル３４と、外側スリーブ２０の先鋭化されたベベル２３とが位置合わせして斜面１３を形成する。斜面１３は、被験者の骨盤腔内、膣腔、及び卵胞への挿入に適している。
【００７９】
中空内側針３０の遠位端３２は、超音波又はＸ線による識別を可能にする、放射線不透過性としうる。例えば、中空内側針３０の遠位端３２の外面には、１つ以上の溝を設けうる。これは、腹腔鏡検査手術中、及び／又は、超音波を用いて針アセンブリ１０の挿入をガイドする場合に特に有用である。中空内側針３０の放射線不透過性の遠位端３２は、長さが約１０ｍｍであり、中空内側針３０の遠位領域３３に接続されている（例えば、図１７を参照）。中空内側針３０の遠位端３２だけが放射線不透過性になるか、又は、中空内側針３０の遠位端３２と外側スリーブ２０の遠位端２２の両方が放射線不透過性になることが想定される。
【００８０】
中空内側針３０が一体構造でない実施形態によれば、中空内側針３０の遠位端３２は、遠位領域３３上にろう付け又は溶接することができ、遠位領域３３もろう付け又は中空内側針３０の軸部３６上に溶接されることが想定される（例えば、図１７参照）。しかしながら、接続方法は、中空内側針３０の遠位端３２の放射線不透過性を考慮する必要がある場合がある。中空内側針３０の遠位端３２と遠位領域３３と軸部３６を接続する方法は、中空内側針３０の遠位端３２及び遠位領域３３を外側スリーブ２０内で延長及び後退させ、引っかかったり摩擦を引き起こしたりしないようにするために必要とされる厳しい精度も考慮に入れる必要がある。遠位端３２と遠位領域３３を接続するために使用される接続方法は、卵子の取り出し処置の間、遠位端３２が卵胞の中で切断されて留まることができないことを保証しなければならない。理想的には、中空内側針３０は、許容範囲を保証するために直線状に製造され、中空内側針３０が組み立てられた後に中空内側針３０の遠位領域３３に曲線３５が形成されるように、製造工程が制御される。
【００８１】
中空内側針３０は、外側スリーブ２０に使用されるものよりも小さな直径の針である１９ゲージの針とすることができ、これにより、中空内側針３０は、外側スリーブ２０内を摺動可能に移動することができる。
【００８２】
中空内側針３０の近位端３１は、卵胞内からの卵子の取り出し及び収集が可能になるように、管７０に流体連通して連結されるように構成されている。陰圧ポンプ（図示せず）は、陰圧ポンプが中空内側針３０と流体連通しているように、管７０に流体連通して連結されている。陰圧ポンプは、被験者から卵母細胞を取り出すように中空内側針３０内に陰圧を発生させるように構成される。中空内側針３０に陰圧を発生させるために、当技術分野で公知の任意の適切な真空源を使用しうることが理解されよう。
【００８３】
一実施形態では、中空内側針３０は外側スリーブ２０よりも長い。中空内側針３０の遠位領域３３は、中空内側針３０と外側スリーブ２０との間の長さの差を構成する。特定の実施形態では、中空内側針３０は、外側スリーブ２０よりも約３９ｍｍ長くしうる。換言すれば、中空内側針３０の遠位領域３３は、約３９ｍｍである。この実施形態では、中空内側針３０が延長位置にある時、曲線３５の曲率半径は約２５ｍｍである。図１８を参照すると、中空内側針３０が延長位置にあるとき、中空内側針３０の遠位領域３３によって画定される曲線３５は、１／４回転の弧をたどり、中空内側針３０の遠位端３２は、外側スリーブ２０の遠位端２２に対して約２５ｍｍ、外側スリーブ２０の長手軸線から２５ｍｍに配置される。本実施形態における遠位領域３３は長さ３９ｍｍであるので、中空内側針３０が延長位置にあるとき、遠位領域３３によって画定される曲線３５の全円弧長は、３９ｍｍである。別の実施形態では、中空内側針３０の遠位領域３３によって画定される曲線３５は、中空内側針３０が外側スリーブ２０に対して遠位側に４０ｍｍ進められたとき、２５ｍｍの半径を有する。さらに別の実施形態では、中空内側針３０は長さが３５０ｍｍとしうるが、この長さは、針の供給と、曲げ力特性（後述）と、手術中の必要な挿入深さを含む多くの要因に依存するであろう。
【００８４】
図１１〜図１７を参照すると、中空内側針３０が後退位置にあるときに、中空内側針３０の遠位領域３３は外側スリーブ２０の形状に適合し、遠位領域３３が外側スリーブ２０内に配置／拘束されたときに遠位領域３３が直線になるようになる。図１１〜図１４に最もよく見られるように、中空内側針３０を後退位置から延長位置に前進させると、遠位領域３３の増加量が外側スリーブ２０の外部にあるように移動させられるにつれて、遠位領域３３は曲線３５を画定し始める。中空内側針３０が延長位置まで進んだ時に、中空内側針３０の遠位領域３３が曲線３５を画定することが理解されよう。
【００８５】
中空内側針３０の遠位領域３３は、ニチノール（Ｎｉ−Ｔｉ）などの超弾性合金から製造することができる。ニチノールは、マルテンサイトからオーステナイト相への変化が生じる温度が針アセンブリ１０の加工温度よりも低いという特性を有する合金である。中空内側針３０の遠位領域３３によって画定される曲線３５は、熱処理して遠位領域３３に永久曲げをすることによって形成することができ、遠位領域３３が、一旦、外側スリーブ２０から延長された永久曲げを維持する。
【００８６】
あるいは、中空内側針の遠位領域３３は、ナイロン（登録商標）又はポリエチレンなどの熱可塑性ポリマーから製造されうる。中空内側針３０の遠位領域３３は、代わりに、ポリエチレンなどのエラストマー材料で覆われた螺旋ばね（図１９参照）から製造されうる。
【００８７】
例えば、１９ゲージの中空内側針３０と共に１６ゲージ又は１７ゲージの外側スリーブ２０を用いて、針アセンブリ１０を形成すると、一緒に使用した場合に、より屈曲の少ない、より剛性の強い針が得られる。こわさ(stiffness)及び強度は、以下に記載するように、（腹腔鏡又は超音波ガイドのいずれかの間において）被験者の骨盤腔及び卵胞への挿入に必要である。
【００８８】
中空内側針３０に使用できる可能性のある針の設計は、次のような寸法を有しうる。
【表２】
2021526065.tif 000004
【００８９】
中空内側針３０が外側スリーブ２０内に摺動可能に配置可能である限り、外側スリーブ２０及び中空内側針３０は、上述したものとは異なるゲージを有しうることが理解されよう。
【００９０】
針アセンブリ１０の代替実施形態では、中空内側針３０は、超弾性合金から形成される。すなわち、中空内側針３０全体は、ニチノールなどの単一の材料から形成される。この実施形態では、遠位端３２を遠位領域３３に接合し、遠位領域３３を軸部３６に接合するための接合処理が不要であり、これにより、中空内側針３０の製造時間を短縮することができる。
【００９１】
針アセンブリ１０の代替の実施形態では、中空内側針３０の遠位領域３３及び遠位端３２は、ニチノールなどの超弾性合金から形成される。この実施形態では、中空内側針３０の遠位領域３３を形成する超弾性合金を、外側スリーブ２０内を摺動する中空内側針３０の軸部３６に半田付け又は接合することができる。この実施形態において、軸部３６はステンレス鋼から形成されうる。次いで、中空内側針３０の遠位端３２を形成する超弾性合金を機械加工して、必要に応じて先鋭化されたベベル３４を作成する。
【００９２】
さらなる代替実施形態では、中空内側針３０の遠位領域３３は、ニチノールなどの超弾性合金から形成される。この実施形態では、中空内側針３０の軸部３６及び遠位端３２は、ステンレス鋼から形成され、中空内側針３０の遠位領域３３のみが、ニチノールなどの超弾性合金から形成されうる。この実施形態では、遠位端３２を遠位領域３３に接合し、遠位領域３３を軸部３６に接合するための接合処理が必要であることが理解されるであろう。
【００９３】
中空内側針の遠位領域
簡単に上述したように、中空内側針３０の遠位領域３３は、
超弾性合金、例えば、ニチノール、
熱可塑性高分子、
（エラストマー材料で覆われている）螺旋ばね、
エラストマー、又は、
インテリジェントポリマー（Ｆｌｅｘ−２の将来の研究プロジェクト）の材料から製造することができる。。
【００９４】
中空内側針３０の遠位領域３３は、外側スリーブ２０の内側に後退させられたときに直線状にされなければならないが、外側スリーブ２０の遠位端２２から延長されたときに曲線３５を画定するように再び曲線を描かなければならない。管曲げの単純化された力学に基づいて、弾性的に持続させることができる最小曲率半径（Ｒ）は、次式によって与えられることが期待される。
Ｒ＝ｒ／εγ
ここで、ｒは内側針の半径であり、εγは中空内側針３０の遠位領域３３を形成する材料の材料降伏ひずみである。
【００９５】
例として、１６ゲージ針（ｒ＝０．６６ｍｍ）の最小針曲率を下表に示す。
【表３】
2021526065.tif 000005
【００９６】
中空内側針３０及び外側スリーブ２０に適した材料選択を検討する場合、以下の設計上の考慮事項を適用しなければならない。
中空内側針３０は、操作者が圧力を加えることができるように、延長位置に移動するときに十分な曲げ剛性(bending stiffness)を保持しなければならない。
針アセンブリ１０の中空内側針３０及び外側スリーブ２０の配向は、中空内側針３０が後退位置にあるときに、外側スリーブ２０の先鋭化されたベベル２３及び中空内側針３０の先鋭化されたベベル３４が実質的に位置合わせしたままになるように制御可能でなければならない。
中空内側針３０が後退位置にあるとき、針アセンブリ１０は、それ自体で外側スリーブ２０と比較して曲げ剛性を増加させなければならない。
【００９７】
ニチノールなどの超弾性合金は、中空内側針３０の遠位領域３３として使用するのに適していると考えられるように、１０％まで可逆的に歪めることができる。
【００９８】
中空内側針３０の遠位領域３３を形成する事前に湾曲された超弾性合金の最終承認は、以下を考慮する必要があるであろう。
中空内側針３０が延長位置にあるときの遠位領域３３の曲げ剛性、及び、
中空内側針３０が後退位置にあるときの遠位領域３３の座屈抵抗。
【００９９】
ほとんどのポリマーは、降伏せずに４％以上のひずみを持続することができる。概念の初期実証として、ポリマー管は、予め湾曲された形状に熱処理され、１５ゲージの針から可逆的に延長及び後退することが実証されている。組成と直径を変えて三つの異なるポリマー管を試みた。事前湾曲の半径の範囲は６〜２０ｍｍであった。
【０１００】
中空内側針３０の遠位領域３３を形成する事前に湾曲されたポリマーに対する最終的な考察は、
中空内側針３０が後退位置にあるときに遠位領域３３が外側スリーブ２０内に直線状に保持される収納中に曲率が失われないことを保証するための長期的な挙動と、
中空内側針３０が延長位置にあるときの遠位領域３３の曲げ剛性と、
中空内側針３０が後退位置にあるときの遠位領域３３の座屈抵抗と、
遠位領域３３を形成するポリマー管をステンレス鋼管から形成され得る中空内側針３０の軸部３６に接合する方法とを含む。
【０１０１】
遠位領域３３にエラストマー管を使用し、曲線３５を画定するために成形され、次いで、中空内側針３０を後退位置と延長位置との間で移動させることによって可逆的に直線化し、再度曲げることができる。遠位領域３３を形成するエラストマー管に関する主な問題は、
中空内側針３０が延長位置にあるときに十分な曲げ剛性を支持することと、
外側スリーブ２０に対する摩擦により、中空内側針３０を後退位置と延長位置との間で移動させることが困難になることである。
【０１０２】
螺旋ばねは、予め湾曲された形状に熱処理され、エラストマー材料でばねを覆うことができ、中空内側針３０の遠位領域３３に使用できる高い弾性を有する曲げることができる管を形成することができる。曲げられた形状に熱処理された被覆されていない螺旋ばねが、図１９に示されている。
【０１０３】
中空内側針３０の遠位端３２の卵子への挿入の正確な性質を考慮して、側面屈曲の量も考慮しなければならない。中空内側針３０の遠位端３２は、理想的には卵子に赤道で入るはずである。
【０１０４】
代替の実施形態では、遠位領域３３の遠位端は、先鋭化されたベベル３４を有する遠位端３２を一体的に備える。すなわち、先鋭化されたベベル３４を有する遠位端３２を遠位領域３３上に接合するのではなく、先鋭化されたベベル３４は遠位領域３３で切り込まれる。
【０１０５】
中空内側針の製造内容
以下に、中空内側針３０を製造するために使用できる一般的な製造方法を示す。これには、様々な設計の選択肢が含まれる。全ての設計は、中空内側針３０の遠位領域３３を形成するためにニチノールを使用することに概ね基づいている。
【０１０６】
ニチノールは、ほぼ均等部分のニッケルとチタンからなる合金で、細いワイヤー又は管に引き込むことができる。この用途に不可欠なニチノールの特性は、ニチノールを完全に回復させながら高度に変形（伸ばし、曲げ、ねじり）させることができる「超弾力性」である。
【０１０７】
中空内側針３０の所望の機能を達成することができる少なくとも３つの設計、すなわち、
ニチノールを用いて作製された中空内側針３０全体。
ニチノールで遠位領域３３及び遠位端３２を形成し、軸部３６を形成するステンレス鋼製針。
ニチノールで遠位領域３３を形成し、軸部３６及び遠位端３２を形成するステンレス鋼、がある。
【０１０８】
ニチノール内側針全体
この場合、中空内側針３０全体がニチノールであるので、遠位領域３３を軸部３６及び遠位端３２に接合するための接合処理の必要はない。遠位端３２を形成するニチノールを切断することによって、先鋭化されたベベル３４を形成することができる。
【０１０９】
ステンレス鋼とニチノールの柔軟性と先端
ニチノールセグメントは、上記のようにステンレス鋼製の軸部３６に半田付け又は接合することができる。次いで、ニチノールセグメントは、必要に応じて、先鋭化されたベベル３４を有する遠位端３２を形成するように機械加工される。これは、従来の機械加工方法によって達成することができるが、この用途は、レーザ切断などの非従来の機械加工方法により適している可能性がある。
【０１１０】
ステンレス製軸と先端とニチノールの柔軟性
この設計で、既存のステンレス鋼製の針を使用して、軸部３６と、先鋭化されたベベル３４を有する遠位端３２とを提供することができる。次いで、ニチノールセグメント（遠位領域３３）を、一方の端部で軸部３６と、他方の端部で遠位端３２とに接合して、中空内側針３０を形成することができる。ニチノールを使用して他の医療装置を製造するために一般的に使用されているように、ニチノール製の遠位領域３３は、半田付けなどの方法を使用してステンレス鋼に接合することができる。ニチノールと共に使用される典型的なはんだ合金は９６．５％Ｓｎと３．５％Ａｇの組成と２２１℃の溶融温度を有する。また、他の接合方法は、ニチノールをステンレス鋼に接合するために使用することができ、エポキシ又は接着剤を使用する接合、又は、当技術分野に公知の機械的方法を含む。使用する方法によっては、バリや不完全性のないジョイント部を与えるために何らかの仕上げ工程が必要になる場合がある。
【０１１１】
ここで製造工程の他の構成要素に転じると、中空内側針３０は、Ｘ線又は超音波の下で可視化するための放射線不透過性の遠位端を有しうる。遠位端３２がステンレス鋼から形成される設計の場合、遠位端３２は、既存の満足できる針から供給することができる。遠位端３２がニチノールから形成される２つの設計の場合、ニチノールは、超音波又はＸ線を用いて識別するのに十分であり得る、ステンレス鋼のものと同様の放射線不透過特性を有する。しかしながら、遠位端３２の視認性は、遠位端３２の最終的な幾何学形状及び適用環境に依存しうる。放射線不透過性を増すことが必要な場合、遠位端３２は、金又は他の放射線不透過性材料で又は白金などの合金元素を使用して被覆することができる。これらの材料は、一般に、ニチノール製のステントと共に使用される。
【０１１２】
一旦、製造されると、中空内側針３０は、中空内側針３０が延長位置にあるときに、遠位領域３３によって画定される曲線３５が一方向に予測可能であることを保証するために、必要な曲げ形状に「訓練される」必要があるであろう。この訓練を行うために、組み立てられた中空内側針３０が、中空内側針３０を必要な形状に保持する成形ジグ内に配置されうる。この最終工程の正確な温度及び時間は、中空内側針３０の組成物及び最終的な幾何形状によって変わり得るが、医療装置における一般的な慣行は、医療装置を成形ジグ内で数時間冷却させる前に、約１５〜２０分間、５００℃で保持することである。他の処理方法がニチノールの熱処理を変える可能性があるので、中空内側針３０を製造する際に、遠位領域３３によって画定される曲線３５のために必要な形状の「訓練」又は熱設定は最終段階であるべきである。加熱工程は、炉を用いて最も一般的に行われるが、電気的ジュール加熱を用いても達成され得る。
【０１１３】
一旦、「訓練」又は熱処理が完了すると、外側スリーブ２０及び中空内側針３０を備える針アセンブリ１０が組み立てられ、中空内側針３０が外側スリーブ２０及び任意の必要な管７０に挿入される。
【０１１４】
コントローラ
図２０〜図２３を参照すると、針アセンブリ１０は、中空内側針３０を後退位置と延長位置との間で移動させるためのコントローラ４０を有する。コントローラ４０は、外側スリーブ２０に連結された第１の部品４１と、中空内側針３０に連結された第２の部品４２とを有する。第２の部品４２ａは、第１の部品４１ａの内部で摺動可能である。
【０１１５】
第１の部品は、盲端４４を有する第１のスロット４３と、盲端４６を有する第２のスロット４５とを有する。第２の部品４２は、遠位端４８を有するフランジ４７を有する。フランジ４７は、第１のスロット４３又は第２のスロット４５のいずれかに受け入れられるように構成される。第２の部品４２は、中空内側針３０が延長位置にあるときにフランジ４７と曲線３５が同じ方向に延長するように、中空内側針３０に連結されている。したがって、フランジ４７は、中空内側針３０の遠位領域３３が曲がって曲線３５を画定する方向を操作者に示すことが理解されるであろう。
【０１１６】
図２０及び図２１は、フランジ４７の遠位端４８が第１のスロット４３の盲端４４に当接するように、第１のスロット４３内に受け入れられたフランジ４７を示す。フランジ４７がこの位置にあるとき、中空内側針３０は後退位置にあり、外側スリーブ２０の先鋭化されたベベル２３と中空内側針３０の先鋭化されたベベル３４とが位置合わせされて、被験者の膣壁を通して卵巣に挿入されるための斜面１３を形成する。後退位置は、針アセンブリ１０を被験者から引き出すためにも使用されるであろう。
【０１１７】
図２２は、フランジ４７の遠位端４８が第２のスロット４５の盲端４６に当接するように、第２のスロット４５に受け入れられたフランジ４７を示す。フランジ４７がこの位置にあるとき、中空内側針３０は延長位置にある。
【０１１８】
中空内側針３０を後退位置から延長位置に移動するステップは、
第１のスロット４３からフランジ４７を取り外すために中空内側針３０を近位側に後退させるステップと、
フランジ４７の遠位端４８を第２のスロット４５に挿入するステップと、
フランジ４７の遠位端４８が第２のスロット４５の盲端４６に当接するまで、フランジ４７が第２のスロット４５内で摺動するように、中空内側針３０を遠位側に前進させるステップとを有する。
【０１１９】
特定の用途の場合、中空内側針３０は、フランジ４７の遠位端４８が第２のスロット４５の盲端４６に当接するまで前進させる必要はなく、フランジ４７の遠位端４８が第２のスロット４５に沿って任意の場所に配置されるように前進させることができることが理解されるであろう。
【０１２０】
中空内側針３０を延長位置から後退位置に移動するステップは、
フランジ４７を第２のスロット４５から取り外すために中空内側針３０を近位側に後退させるステップと、
フランジ４７の遠位端４８を第１のスロット４３に挿入するステップと、
フランジ４７の遠位端４８が第１のスロット４３の盲端４４に当接するまで、フランジ４７が第１のスロット４３内で摺動するように、中空内側針３０を遠位側に前進させるステップとを有する。
【０１２１】
コントローラ４０は、中空内側針３０を、後退位置及び延長位置のいずれかに保持するように構成される。コントローラ４０は、フランジ４７が第１のスロット４３及び第２のスロット４５のいずれか内で受け入れられ及び／又は摺動しているときに、中空内側針３０が外側スリーブ２０内で回転することを制限する。
【０１２２】
図２４及び図２５は、中空内側針３０を後退位置と延長位置との間で移動させるために使用することができる別のコントローラ４０ａを示す。コントローラ４０ａは、外側スリーブ２０に連結されるであろう第１の部品４１ａと、中空内側針３０に連結されるであろう第２の部品４２ａとを有する。
【０１２３】
第１の部品４１ａはピニオン４３ａを有し、第２の部品４２ａはラック４４ａを有する。ラック４４ａとピニオン４３ａは、ピニオン４３ａを回転させることによって第２の部品４２ａが直線的に移動するように動作可能に関連している。ピニオン４３ａは、中空内側針３０が延長位置にあるときに曲線３５が延在している平面と位置合わせされた平面内で回転する。したがって、ピニオン４３ａは、中空内側針３０の遠位領域３３が曲がって曲線３５を画定する方向を操作者に示すことが理解されよう。また、ラック４４ａとピニオン４３ａとの相互作用によって、中空内側針３０が外側スリーブ２０内で回転することが制限されることも理解されよう。
【０１２４】
図２４は、中空内側針３０が後退位置にあるであろうときの、第２の部品４２ａの第１の部品４１ａに対する位置を示す。図２５は、中空内側針３０が延長位置にあるであろうときの、第２の部品４２ａの第１の部品４１ａに対する位置を示す。中空内側針３０が後退位置にあるとき、外側スリーブ２０の先鋭化されたベベル２３と中空内側針３０の先鋭化されたベベル３４とが位置合わせされて、被験者の膣壁を通して卵巣に挿入されるように斜面１３が形成されるであろう。後退位置は、針アセンブリ１０を被験者から引き出すためにも使用されるであろう。
【０１２５】
コントローラが、中空内側針３０が後退位置にあるときに、外側スリーブ２０の先鋭化されたベベル２３と中空内側針３０の先鋭化されたベベル３４とを位置合わせさせるか、コントローラが、中空内側針３０が後退位置及び延長位置のいずれかにあるときに、中空内側針３０が外側スリーブ２０内で回転することを制限するか、又は、コントローラが、中空内側針３０を後退位置と延長位置との間で移動させることを可能にする限り、針アセンブリ１０のコントローラに他の適切な機構を使用できることが理解されよう。
【０１２６】
針アセンブリ１０のコントローラに使用できる他の適切な機構の例として、摺動機構、ねじれ機構などが挙げられる。
【０１２７】
管
一実施形態によると、管７０は、中空内側針３０に流体連通して接続される。管７０は、卵胞を取り出すために、針アセンブリから試験管などの容器（図示せず）への通路を提供する。管７０は、卵胞内から卵子を引き出すように、陰圧ポンプ（図示せず）と流体連通して接続されている。管７０は、医療グレードのシリコーンゴム管から製造された標準的な医療グレードの管としうる。管７０は、次に、ルーアロックハブに接続されてもよく、このハブは、陰圧ポンプ又は他の適切な真空源に接続されたさらなる管７０に接続されうる。ルアーロックは、針アセンブリ１０の洗浄機能を提供することができる。
【０１２８】
栓
針アセンブリ１０は、栓５０をさらに備えうる。栓５０は、中空内側針３０と、卵子を貯蔵するための容器と、陰圧ポンプ又は他の適切な真空源と流体連通している。栓５０は、第１の構成と第２の構成との間で移動可能である。第１の構成では、中空内側針３０は、容器及び陰圧ポンプと流体連通している。栓５０の第１の構成は、卵子を採取して卵子を容器内に堆積させるために使用される。第２の構成では、中空内側針３０は、中空内側針３０を洗浄するために洗浄流体と流体連通している。したがって、栓５０により、中空内側針３０の洗浄が可能となり、次いで、容器内に吸引し戻すことができ、これは、卵母細胞が少ない患者又は卵母細胞の収集が困難な患者に適している可能性がある。容器は、医療研究所で使用される標準的な試験管としうる。栓５０により、針アセンブリ１０が、針アセンブリ１０に汎用性を付加させる洗浄針として機能することができる。
【０１２９】
陰圧ポンプ
針アセンブリ１０は、中空内側針３０と外側スリーブ２０との間に最小の間隙を有するように構成される。中空内側針３０は、陰圧ポンプ又は他の適当な真空源に流体連通して接続され、この真空源は、一旦、針アセンブリ１０が卵子を取り出すように卵胞に穿孔した後、中空内側針３０内に陰圧を生成するように作動される。陰圧ポンプによって中空内側針３０に発生した陰圧によって、卵子が中空内側針３０を通って卵胞の内側から取り出される。次いで、これらの引き出された卵子は、容器（図示せず）内で堆積されて貯蔵され得る。
【０１３０】
陰圧ポンプは、ロンドンのロケットなどの、２４０Ｖ、３０Ｗ、５０Ｈｚなどの既製の構成要素としうる。陰圧ポンプは、１３．６ｋＰａ（１０２ｍｍＨｇ）〜１６ｋＰａ（１２０ｍｍＨｇ）前後で作動する。管７０又は針アセンブリ１０の詰まりが発生する場合、２００ｍｍＨｇまでの圧力が必要となる場合がある。ヒトの卵母細胞のおよその直径は０．１〜０．２ｍｍであり、卵母細胞を囲む卵丘細胞（帯）では、細胞全体の塊は１０ｍｍほどの直径を有し得る（Ａｚｉｚ氏らの１９９３年）。したがって、中空内側針３０の内径が細いほど、卵母細胞が針アセンブリ１０を通して進むにつれて卵母細胞を傷つける危険性が大きい。その結果、中空内側針３０に対してより細い針を使用することで、卵胞を傷つける危険性を増し、対外受精の処置で妊娠がうまくいく可能性が減る。加えて、中空内側針３０のためのより小さな内径は、陰圧ポンプによって針アセンブリ１０内でより大きな陰圧を発生させることを必要とする。従って、中空内側針３０に対する標準的な最小作動針サイズは、２２ゲージとしうる。
【０１３１】
卵子採取システム
図２６は、針アセンブリ１０と、管７０ａによって針アセンブリ１０の近位端１２に流体連通するように連結された栓５０と、採取された卵子を収集及び貯蔵するための容器（図示せず）を密閉するための栓６０とを備える卵子採取システムであって、栓５０は、管７０ｂによって栓６０を通して容器と流体連通するように連結され、管７０ｃによって栓６０を通して容器と流体連通する陰圧ポンプを備える、卵胞採取システムを示す。
【０１３２】
したがって、陰圧ポンプは、容器、栓５０、及び、針アセンブリ１０と流体連通していることが理解されよう。栓５０は、上述したように、第１の構成と第２の構成との間で移動可能である。
【０１３３】
キット
針アセンブリ１０は、キットとして提供されうる。
このようなキットは、
組み立てられた針アセンブリ１０と、
針アセンブリ１０上に設置されたコントローラ４０、４０ａと、
栓５０と、
採取した卵子を貯蔵するための容器と、
容器、栓５０、及び／又は、陰圧ポンプに流体連通する針アセンブリ１０を接続させるための管７０と、
医療用ドレープと、
潤滑と、
ヒトの卵子を針アセンブリ１０を通して採取するための陰圧ポンプとして使用することができるシリンジ、及び／又は、
ペーパータオルの内の１つ以上を有しうる。
【０１３４】
方法
ヒトの卵子を採取するために針アセンブリ１０を使用する１つの方法は、
ａ）中空内側針３０が後退位置にある状態で、針アセンブリ１０が、被験者の膣壁を通して卵巣に挿入されるステップと、
ｂ）針アセンブリ１０の遠位端１１は卵子の近くに位置決めされるステップと、
ｃ）中空内側針３０の近位端３１を流体連通状態で真空源に接続させるステップと、
ｄ）真空源を使用して中空内側針３０内に陰圧を生成するステップと、
ｅ）卵子を中空内側針３０を通して取り出すステップと、
ｆ）中空内側針３０を後退位置にした状態で針アセンブリ１０を被験者から取り出すステップとが記載される。
【０１３５】
ヒトの卵子を採取するために針アセンブリ１０を使用する別の方法は、
ａ）中空内側針３０が後退位置にある状態で、針アセンブリ１０が被験者の膣壁を通して卵巣に挿入されるステップと、
ｂ）中空内側針３０の遠位端３２を卵子の近くに位置決めするように、中空内側針を延長位置に移動させるステップと、
ｃ）中空内側針３０の近位端３１を流体連通状態で真空源に接続させるステップと、
ｄ）真空源を使用して中空内側針３０内に陰圧を生成するステップと、
ｅ）中空内側針３０を通して卵子を取り出すステップと、
ｆ）中空内側針３０を後退位置に移動させるステップと、 
ｇ）中空内側針３０を後退位置にした状態で、針アセンブリ１０を被験者から取り外すステップとが記載される。
【０１３６】
複数のヒトの卵子を採取するために針アセンブリ１０を使用する別の方法は、
ａ）中空内側針３０が後退位置にある状態で、針アセンブリ１０が被験者の膣壁を通して卵巣に挿入されるステップと、
ｂ）中空内側針３０の遠位端３２を卵子の近くに位置決めするように、中空内側針を延長位置に移動させるステップと、
ｃ）中空内側針３０の近位端３１を流体連通状態で真空源に接続するステップと、
ｄ）真空源を使用して中空内側針３０内に陰圧を生成するステップと、
ｅ）中空内側針３０を通して卵子を取り出すステップと、
ｆ）中空内側針３０を後退位置へ移動させるステップと、
ｇ）被験者の中で針アセンブリ１０を回転及び／又は再度位置決めするステップと、
ｈ）中空内側針３０の遠位端３２を卵子の近くに位置決めするように、中空内側針３０を延長位置に移動させるステップと、
ｉ）真空源を使用して中空内側針３０内に陰圧を生成するステップと、
ｊ）中空内側針３０を通して別の卵子を取り出すステップと、
ｋ）必要に応じてステップｆ）〜ステップｊ）を繰り返すステップと、
ｌ）中空内側針３０を後退位置に移動させるステップと、
ｍ）中空内側針３０が後退位置にある状態で、針アセンブリ１０を被験者から取り出すステップとが記載される。
【０１３７】
複数のヒトの卵子を採取するために針アセンブリ１０を使用する別の方法は、
ａ）中空内側針３０が後退位置にある状態で、針アセンブリ１０が被験者の膣壁を通して卵巣に挿入されるステップと、
ｂ）針アセンブリ１０の遠位端１１を卵子の近くに位置決めするステップと、
ｃ）中空内側針３０の近位端３１を真空源に流体連通状態で接続するステップと、
ｄ）真空源を使用して中空内側針３０内に陰圧を生成するステップと、
ｅ）中空内側針３０を通して卵子を取り出すステップと、
ｆ）被験者内で針アセンブリ１０を回転及び／又は再度位置決めするステップと、
ｇ）中空内側針３０の遠位端３２を別の卵子の近くに位置決めするように、中空内側針３０を延長位置に移動させるステップと、
ｈ）真空源を使用して中空内側針３０内に陰圧を生成するステップと、
ｉ）中空内側針３０を通して別の卵子を取り出すステップと、
ｊ）必要に応じて、ステップｂ）〜ステップｉ）のいずれかを繰り返すステップと、
ｋ）中空内側針３０を後退位置に移動させるステップと、
ｌ）中空内側針３０が後退位置にある状態で、針アセンブリ１０を被験者から取り出すステップとが記載される。
【０１３８】
したがって、針アセンブリ１０は、複数の卵子を、針アセンブリ１０を被験者への単一の入口から取り出すことができることが理解されよう。
【０１３９】
卵巣の赤道部での針の単一の入口は、複数の卵胞の収集に必要なもの全てとすべきである。つまり、複数の卵子を取り出すために必要とされるのは、膣壁を通る単一の入口としうる。中空内側針３０は、膣壁を通した初期挿入後にさらなる卵子に到達するように延長させられうる。
【０１４０】
使用時に、針アセンブリ１０を使用する手順は、ほとんどの痛みが、膣の針の進入及び卵巣壁の進入から生じ、その数は、針アセンブリ１０を使用して減らされ得るので、被験者にとってより快適としうる。
【０１４１】
使用時に、針アセンブリ１０は、潜在的に、採卵をより迅速にし、外科手術時間を短縮することができる。
【０１４２】
針アセンブリ１０を使用することにより、通常、膣への進入地点での出血又は卵巣への進入での出血による、出血による潜在的な合併症を低下させる可能性がある。
【０１４３】
針アセンブリ１０を使用することにより、麻酔薬の必要性が少なくなったり、鎮静剤の必要性が最小限に抑えることができる。
【０１４４】
中空内側針３０の遠位領域３３により、患者にあまり不快感を与えずに、アクセスしにくい卵胞に到達することを可能にしうる。
【０１４５】
力データ
針アセンブリ１０を膣壁を通して挿入するには、卵子をうまく取り出すために必要とされる、針アセンブリ１０が曲がったり、配列から外れてねじれたりすることにつながりうる相当な負荷と力が必要である。中空内側針３０が、針アセンブリ１０から延長され、依然として卵胞内への穿刺能力を維持する能力は、中空内側針３０の顕著な特徴である。この点に関し、卵胞を穿刺するための必要な力の要件を決定するために試験を実施した。壁の厚さについての適切な設計基準、中空内側針３０の偏向、従って、卵胞の内部を通る挿入点を開くことの支点効果を最小化するための材料の適切な選択を決定するために、力と荷重のデータのサンプルが蓄積されている。
【０１４６】
一連の試行を通して、試料の採卵のデータの分析を行った。この試験は、標準的な直線状の針を用いて採卵中に必要とされる穿刺力を決定することを目的とした。
要約は以下の通りである。
採卵１
ベース読取値１９７８ｍＮ
【表４】
2021526065.tif 000006
採卵２
ベース読取値２２４７ｍＮ
【表５】
2021526065.tif 000007
【０１４７】
最も関連性の高いと報告された力が、ミリニュートン（ｍＮ）の単位を持つ「最大力」としてリストアップされる。２回の試行における最高の最大力は５８５３ｍＮであった。針アセンブリ１０の設計は、このレベルの約３倍まで、すなわち２００００ｍＮまでの力の許容範囲を許容することができる。
【０１４８】
針アセンブリ１０の設計において考慮すべき少なくとも２つの要因がある。
ａ）中空内側針３０の先鋭化されたベベル３４と外側スリーブ２０の先鋭化されたベベル２３との位置合わせによって、針アセンブリ１０の斜面１３を形成し、
ｂ）次いで、その後に卵胞を穿刺するように必要な力で中空内側針３０を前進させる。
したがって、上述のように、２０，０００ｍＮの穿刺を必要とする中空内側針３０の力は、中空内側針３０の遠位領域３３の材料選択における要因であり、また、米国特許第６，５９２，５５９号に記載されているように、穿刺がより大きくかつより剛性の高い針によって実施されるので、通常、穿刺能力を必要としない、既存の針上の湾曲領域の区別の観点から見てもよい。
【０１４９】
針アセンブリ１０は、複数の卵胞の排出のための卵巣の赤道における単一の入口を可能にすることができる。つまり、膣壁を通る単一の入口は、複数の卵子を取り出すことができ、中空内側針３０は、膣壁を通る初期の挿入後にさらなる卵子に到達するように、後退位置と延長位置との間で移動させられる。中空内側針３０の遠位領域３３によって画定される曲線３５は、中空内側針３０が後退位置にあるときに直線状にされるように設計されるが、中空内側針３０を延長位置に移動させるときに、複数の卵胞に延長可能かつ挿入可能であるように、適切なこわさ(stiffness)及び剛性(rigidity)の特性を維持する。
【０１５０】
針アセンブリ１０は、閉塞の危険性を最小限に抑えるために、非コアリング針遠位端などの現在の針（例えば、Ｗａｌｌａｃｅ社製のもの）の全ての能力と、超音波のガイドの下での正確な配置のために非常に遠位端にマークされたエコーと、試験管との容易かつ確実な適合のためのシリコーン栓と、卵母細胞の回収中の継続的又は間欠洗浄のための能力と、中空内側針３０が後退位置にある状態で針アセンブリ１０が使用されるときの真空ポンプアダプタとを有することができる。
【０１５１】
針アセンブリ１０は、麻酔薬を伴う診療室内及び病院環境の外部で処置を行うことを可能にすることによって、対外受精を改善し得る、より安全で、より簡単で、痛みの少ない、卵母細胞の回収方法を提供し得る。これにより、コストを下げ、世界中で患者に体外受精をより多く提供しうる。より安全で安価なに体外受精は、世界中で体外受精のサイクル数を大幅に増しうる。
【０１５２】
針アセンブリ１０は、より剛性があり、したがって、膣及び卵巣へのより剛性の高い初期挿入を提供することができる。中空内側針３０の遠位領域３３を前進させることにより、より困難な卵胞を針アセンブリ１０を通して吸引及び採取することが可能になり得る。１つの進入地点があれば、被験者の痛みを少なくし、出血リスクを低下しうる。針アセンブリ１０を使用すると、必要な麻酔薬の量を潜在的に低くできる。
【０１５３】
当業者には、広く説明されるように、本発明の精神又は範囲から逸脱することなく、特定の実施形態に示されるように、本発明に多数の変形及び／又は修正を行ってもよいことが理解されるであろう。したがって、本実施形態は、例示的であって、制限的ではないとして、全ての点で考慮されるべきである。
【符号の説明】
【０１５４】
１０    針アセンブリ
１１    針アセンブリ１０の遠位端
１２    針アセンブリ１０の近位端
１３    針アセンブリ１０の斜面
２０    外側スリーブ
２１    外側スリーブ２０の近位端
２２    外側スリーブ２０の遠位端
２３    外側スリーブ２０の遠位端２２の先鋭化されたベベル
３０    中空内側針
３１    中空内側針３０の近位端
３２    中空内側針３０の遠位端
３３    中空内側針３０の遠位領域
３４    中空内側針３０の遠位端３２の先鋭化されたベベル
３５    曲線
３６    中空内側針３０の軸部
４０    コントローラ
４１    コントローラ４０の第１の部品
４２    コントローラ４０の第２の部品
４３    コントローラ４０の第１の部品４１の第１のスロット
４４    第１のスロット４３の盲端
４５    コントローラ４０の第１の部品４１の第２のスロット
４６    第２のスロットの盲端
４７    コントローラ４０の第２の部品４２のフランジ
４８    フランジ４７の遠位端
４０ａ    コントローラ
４１ａ    コントローラ４０ａの第１の部品
４２ａ    コントローラ４０ａの第２の部品
４３ａ    コントローラ４０ａの第１の部品４１ａのピニオン
４４ａ    コントローラ４０ａの第２の部品４２ａのラック
５０    栓
６０    栓
７０    管
【図１】
2021526065.tif 000008
【図２】
2021526065.tif 000009
【図３】
2021526065.tif 000010
【図４】
2021526065.tif 000011
【図５】
2021526065.tif 000012
【図６】
2021526065.tif 000013
【図７】
2021526065.tif 000014
【図８】
2021526065.tif 000015
【図９】
2021526065.tif 000016
【図１０】
2021526065.tif 000017
【図１１】
2021526065.tif 000018
【図１２】
2021526065.tif 000019
【図１３】
2021526065.tif 000020
【図１４】
2021526065.tif 000021
【図１５】
2021526065.tif 000022
【図１６】
2021526065.tif 000023
【図１７】
2021526065.tif 000024
【図１８】
2021526065.tif 000025
【図１９】
2021526065.tif 000026
【図２０】
2021526065.tif 000027
【図２１】
2021526065.tif 000028
【図２２】
2021526065.tif 000029
【図２３】
2021526065.tif 000030
【図２４】
2021526065.tif 000031
【図２５】
2021526065.tif 000032
【図２６】
2021526065.tif 000033
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
ヒトの卵子を採取するための針アセンブリであって、前記針アセンブリが、
近位端及び遠位端を有する外側スリーブであって、前記外側スリーブの前記遠位端は、先鋭化されたベベルを有する、外側スリーブと、
前記外側スリーブ内に摺動可能に配置された中空内側針であって、前記中空内側針が、
曲線を画定するように構成された遠位領域と、
先鋭化されたベベルを有する遠位端と、
前記遠位領域が前記外側スリーブ内に配置される、後退位置と、
前記中空内側針の前記遠位端が前記外側スリーブの前記遠位端より遠位にあり、かつ、前記遠位領域が前記外側スリーブより少なくとも部分的に外側にある、延長位置とを有する、中空内側針と、
前記中空内側針を前記後退位置と前記延長位置との間で移動させるように構成されたコントローラとを備え、
前記中空内側針が前記後退位置にあるときに前記遠位領域は前記外側スリーブに適合し、前記中空内側針が前記延長位置にあるとき前記遠位領域は前記曲線を画定する、針アセンブリ。
【請求項２】
前記中空内側針が前記後退位置にあるとき、前記外側スリーブの先鋭化されたベベルと前記中空内側針の先鋭化されたベベルは実質的に位置合わせされて斜面を形成する、請求項１に記載の針アセンブリ。
【請求項３】
前記遠位領域によって画定される前記曲線は、一方向曲線である、請求項１又は２に記載の針アセンブリ。
【請求項４】
前記遠位領域は、前記外側スリーブに対して最大角度９０度で延びるように構成される、請求項１〜３のいずれか一項に記載の針アセンブリ。
【請求項５】
前記中空内側針は、前記中空内側針を前記外側スリーブに対して遠位側に前進させることによって、前記後退位置から前記延長位置に移動させられ、前記中空内側針は、前記中空内側針を前記外側スリーブに対して近位側に後退させることによって、前記延長位置から前記後退位置に移動させられる、請求項１〜４のいずれか一項記載の針アセンブリ。
【請求項６】
前記曲線は、前記中空内側針が前記外側スリーブに対して遠位側に４０ｍｍ進められたときに２５ｍｍの半径を有する、請求項５に記載の針アセンブリ。
【請求項７】
前記遠位領域は、弾性合金から形成される、請求項１〜６のいずれか一項に記載の針アセンブリ。
【請求項８】
前記中空内側針は、弾性合金から形成される、請求項１〜７のいずれか一項に記載の針アセンブリ。
【請求項９】
前記弾性合金がニチノールである、請求項７又は８に記載の針アセンブリ。
【請求項１０】
前記外側スリーブは、針である、請求項１〜９のいずれか一項に記載の針アセンブリ。
【請求項１１】
前記外側スリーブは、１６ゲージ針又は１７ゲージ針である、請求項９に記載の針アセンブリ。
【請求項１２】
前記中空内側針は、１９ゲージの針である、請求項１１に記載の針アセンブリ。
【請求項１３】
前記外側スリーブの前記遠位端に近接する又は前記遠位端にある領域は、放射線不透過であり、及び／又は、前記中空内側針の前記遠位端に近接する又は前記遠位端にある領域は、放射線不透過である、請求項１〜１２のいずれか一項記載の針アセンブリ。
【請求項１４】
前記中空内側針が、前記中空内側針が前記後退位置及び前記延長位置のいずれかにあるときに、前記外側スリーブ内で回転することが制限される、請求項１〜１３のいずれか一項に記載の針アセンブリ。
【請求項１５】
前記コントローラは、前記中空内側針を前記後退位置及び延長位置のいずれかに解放可能に保持するように構成される、請求項１〜１４のいずれか一項に記載の針アセンブリ。
【請求項１６】
前記コントローラが、
前記外側スリーブに連結された第１の部品と、前記中空内側針に連結された第２の部品とを備え、前記第２の部品を前記第１の部品に対して移動させることによって、前記中空内側針を前記後退位置と延長位置との間で移動させる、請求項１〜１５のいずれか一項に記載の針アセンブリ。
【請求項１７】
前記第１の部品は第１のスロット及び第２のスロットを有し、前記第２の部品は、前記第１のスロット及び前記第２のスロットのいずれかに受け入れられるように構成されたフランジを有し、前記フランジを前記第１のスロット内に配置することで前記中空内側針を前記後退位置に保持し、前記フランジを前記第２のスロット内に配置することで前記中空内側針を延長位置に保持する、請求項１６に記載の針アセンブリ。
【請求項１８】
前記フランジ及び前記曲線は共通の方向に延在する、請求項１７に記載の針アセンブリ。
【請求項１９】
前記中空内側針は、真空源と流体連通して連結されるように構成されており、前記真空源は、ヒトの卵子を採取するために前記中空内側針に陰圧を生成するように構成される、請求項１〜１８のいずれか一項に記載の針アセンブリ。
【請求項２０】
前記中空内側針は、前記中空内側針を通して抽出されたヒトの卵子を収集するための容器と流体連通状態にある、請求項１〜１９のいずれか一項に記載の針アセンブリ。
【請求項２１】
前記針アセンブリは、前記中空内側針、前記容器、及び、前記真空源と流体連通する栓をさらに備え、
前記栓は、
前記中空内側針がヒトの卵子を採取及び収集するために前記容器及び前記真空源と流体連通している第１の構成と、前記中空内側針が前記中空内側針を洗浄するための洗浄流体と流体連通している第２の構成との間で移動可能である、請求項２０に記載の針アセンブリ。
【請求項２２】
ヒトの卵子を採取するための方法において、前記方法は、
前記中空内側針が前記後退位置にある状態で、請求項１〜２１のいずれか一項に記載の針アセンブリの前記外側スリーブの前記遠位端を、被験者の膣壁を通して卵巣に挿入するステップと、
卵子の近くに前記外側スリーブの前記遠位端を位置決めするステップと、
前記中空内側針を通して前記卵子を採取するステップとを備える、ヒトの卵子を採取するための方法。
【請求項２３】
前記方法は、
前記中空内側針を前記延長位置に移動させるステップと、
前記中空内側針の前記遠位端を卵子の近くに位置決めして前記卵子を採取するステップとをさらに備える、請求項２２に記載の方法。
【請求項２４】
前記方法は、
前記中空内側針を前記後退位置へ移動させるステップと、
卵巣内で前記外側スリーブを再度位置決めするステップと、
前記中空内側針を前記延長位置に移動させるステップと、
前記中空内側針の前記遠位端を卵子の近くに位置決めして卵子を採取するステップとをさらに備える、請求項２３に記載の方法。
【国際調査報告】
2021526065.tif 000034
2021526065.tif 000035
2021526065.tif 000036